(57)【要約】  感圧性接着性ポリマー（１４）及び溶媒（１５）を含む固着剤（７）を用いて転写させようとする装飾体（２）を含む、人の皮膚、唇、または爪を装飾するための物品（１）。この物品は、転写させようとする装飾層（３）、装飾体（２）を含む装飾層（３）、第１の外部表面（３１）と第２の外部表面（３２）とを有する装飾層（３）、装飾層（３）の支持フィルム（４）（前記支持フィルム（４）は前記装飾層（３）の第１の外部表面（３１）に着脱可能に固着されている）、及び感圧性接着性ポリマー（１４）の移行を制限するためのバリアを形成するベース層（６）（前記ベース層（６）は溶媒（１５）に耐性である）を含む。
2021506389.tif 000002
【特許請求の範囲】
【請求項１】
少なくとも１つの感圧性接着性ポリマー（１４）及び少なくとも１つの溶媒（１５）を含む固着剤（７）を用いて人の皮膚、唇、または少なくとも１つの爪（９）に転写させようとする少なくとも１つの装飾体（２）を含む、人の皮膚、唇、または爪を装飾するための物品（１）であって、
・人の皮膚、唇、または爪（９）に少なくとも部分的に転写させようとする装飾層（３）であって、前記装飾層（３）が、前記少なくとも１つの装飾体（２）を含み、前記装飾層（３）が、第１の外部表面（３１）及び第２の外部表面（３２）を有する、装飾層（３）、
・前記装飾層（３）の支持フィルム（４）であって、前記支持フィルム（４）が、着脱可能に前記装飾層（３）の第１の外部表面（３１）に固定されている、支持フィルム（４）、
・少なくとも１つの感圧性接着性ポリマー（１４）の移行を制限もしくはさらに防止するためのバリアを形成するベース層（６）であって、前記少なくとも１つの溶媒（１５）に対して耐性である、ベース層（６）
を含む物品。
【請求項２】
装飾層（３）と支持フィルム（４）との間に分離層（５）を含み、前記分離層（５）が、前記装飾層（３）が前記固着剤（７）によって人の皮膚、唇または少なくとも１つの爪（９）に転写されたところで前記装飾層（３）と支持フィルム（４）との分離を可能にすることを意図している、請求項１に記載の物品。
【請求項３】
前記ベース層（６）が、少なくともSiO2及びアクリル樹脂、特にアクリレートコポリマーを含む、請求項１または２に記載の物品。
【請求項４】
装飾層（３）が、幾つかの重畳サブレイヤー（３ａ、３ｂ、３ｃ）を含む、請求項１から３のいずれか一項に記載の物品。
【請求項５】
装飾層（３）が、少なくとも１つの金属層（３ｂ）、特にアルミニウムの層を含み、前記金属層（３ｂ）が、例えば、化学蒸着によって付着する、請求項４に記載の物品。
【請求項６】
装飾層（３）が、アクリレートコポリマー、着色顔料、及び／またはパール剤粉末、及び／または金属効果を備えた装飾層の少なくとも１つの層を含む、請求項４または５に記載の物品。
【請求項７】
支持フィルム（４）が湾曲しており、特に、装飾層（３）の転写を意図する領域の曲率半径とは異なる曲率半径を有する、請求項１から６のいずれか一項に記載の物品。
【請求項８】
支持フィルム（４）が平坦である、請求項１から７のいずれか一項に記載の物品。
【請求項９】
支持フィルム（４）が、透明、半透明、または不透明な、特にPETである、請求項１から８のいずれか一項に記載の物品。
【請求項１０】
装飾体が、二次元または三次元のパターン、または三次元を模した効果、または布を模した効果、粒子効果、金属、あるいは光源に対する方向によって錯視を提供する装飾のうち少なくとも１つを含む、請求項１から９のいずれか一項に記載の物品。
【請求項１１】
装飾層の一部のみが、人の皮膚、唇、または少なくとも１つの爪（９）の、固着剤（７）が予め適用された箇所への転写を意図されている、請求項１から１０のいずれか一項に記載の物品。
【請求項１２】
前記ベース層（６）の厚さが20μm未満、好ましくは15μm未満である、請求項１から１１のいずれか一項に記載の物品。
【請求項１３】
請求項１から１２のいずれか一項に規定の物品（１）の装飾層（３）を人の皮膚、唇または爪に転写するための、少なくとも１つの感圧性接着性ポリマー（１４）及び少なくとも１つの溶媒（１５）を含む固着剤（７）。
【請求項１４】
以下の製品：
・シリコーン接着剤、DOW CORNING（登録商標）MG-2402；及び／または
・シリコーン接着剤、DOW CORNING（登録商標）BIO-PSA 7-4602
のうちの少なくとも１つを含む、請求項１３に記載の固着剤。
【請求項１５】
質量％で、
・40から70％のシリコーン接着剤、DOW CORNING（登録商標）MG-2402； 
・1から15％のシリコーン接着剤、DOW CORNING（登録商標）BIO-PSA 7-4602；及び
・100％までの残量の溶媒
を含む、請求項１４に記載の固着剤。
【請求項１６】
質量％で、
・50から60％のシリコーン接着剤、DOW CORNING（登録商標）MG-2402； 
・4から9％のシリコーン接着剤、DOW CORNING（登録商標）BIO-PSA 7-4602；及び
・100％までの残量の溶媒
を含む、請求項１５に記載の固着剤。
【請求項１７】
質量％で、
・54.5％のシリコーン接着剤、DOW CORNING（登録商標）MG-2402； 
・9％のシリコーン接着剤、DOW CORNING（登録商標）BIO-PSA 7-4602；及び
・36.4％の溶媒
を含む、請求項１６に記載の固着剤。
【請求項１８】
質量％で、
・52％のシリコーン接着剤、DOW CORNING（登録商標）MG-2402； 
・8％のシリコーン接着剤、DOW CORNING（登録商標）BIO-PSA 7-4602；及び
・40％の溶媒
を含む、請求項１６に記載の固着剤。
【請求項１９】
質量％で、
・54％のシリコーン接着剤、DOW CORNING（登録商標）MG-2402； 
・7％のシリコーン接着剤、DOW CORNING（登録商標）BIO-PSA 7-4602；及び
・39％の溶媒
を含む、請求項１６に記載の固着剤。
【請求項２０】
質量％で、
・60％のシリコーン接着剤、DOW CORNING（登録商標）MG-2402； 
・4％のシリコーン接着剤、DOW CORNING（登録商標）BIO-PSA 7-4602；及び
・36％の溶媒
を含む、請求項１６に記載の固着剤。
【請求項２１】
溶媒が、XIAMETER（登録商標）PMX-200 SILICONE FLUID 0.65 CS を含むか、好ましくはこれに該当する、請求項１３から２０のいずれか一項に記載の固着剤。
【請求項２２】
人の皮膚、唇、または爪を装飾するための、請求項１から１２のいずれか一項に規定の少なくとも１つの物品、及び請求項１３から２１のいずれか一項に規定の固着剤（７）を含む少なくとも１つの容器（１０）を含む、キット。
【請求項２３】
固着剤塗布部材、例えばブラシ（１２）をさらに含み、前記塗布部材が、好ましくは、固着剤を収容する容器の開口部を閉じて前記容器（１０）を封鎖するために適切である、請求項２２に記載の装飾キット。
【請求項２４】
人の皮膚、唇または爪の上に、前記少なくとも１つの物品（１）を、平滑化させることのできるアプリケータ（１６）、例えば植毛シリコーンのアプリケータをさらに含む、請求項２２または２３に記載の装飾キット。
【請求項２５】
請求項１から１２のいずれか一項に規定の物品（１）による、人の爪、皮膚、または唇を装飾するか、あるいは請求項２２から２４のいずれか一項に記載の装飾キットの一部を形成する方法であって、
i) 装飾しようとする部分上に、請求項１０から１８のいずれか一項に規定の固着剤（７）の層を適用するか、または前記装飾キットの一部を形成することからなる工程；
ii) 固着剤（７）の溶媒（１５）を蒸発させることからなる工程；
iii) 物品（１）を装飾しようとする部分に付着させることからなる工程；
iv) 物品（１）に圧力をかけることからなる工程；及び
v) 支持フィルム（４）を物品（１）から除去することからなる工程
を含む方法。
【請求項２６】
工程i)において、25μm以上、好ましくは30μm以上、及び／または75μm未満、好ましくは50μm未満の厚さを有する固着剤（７）の層が適用される、請求項２５に記載の方法。
【請求項２７】
工程i)が、塗布部材によって実施され、前記塗布部材が好ましくはブラシ（１２）である、請求項２５または２６に記載の方法。
【請求項２８】
工程iv)において、前記物品が、好ましくは植毛シリコーンのアプリケータ（１６）で、且つ／または、装飾層（３）が支持フィルム（４）から分離されるまで平滑化される、請求項２６または２７に記載の方法。
【請求項２９】
工程v)において、装飾層（３）の一部のみが転写され、固着剤の層が工程i)において予め適用されている、請求項２５から２８のいずれか一項に記載の方法。
【発明の詳細な説明】
【技術分野】
【０００１】
本発明は、人体を装飾するための物品に関し、特に、皮膚または爪に適用される一時的な装飾体に関する。
【背景技術】
【０００２】
人の身体の一部の一時的な装飾、被覆、秘匿、あるいは外観の改善を目的とした、皮膚または爪に塗布するための多数の製品が存在する。こうしたタイプのメイクアップは、いくつかの形態（パウダー、クリーム、グリッター）で見いだされ、アプリケータ付きまたはアプリケータなしのボトルに実装されている。
【０００３】
皮膚または爪に適用するための一時的なタトゥーも存在し、これらは、シートによって支持された所定の輪郭を有する装飾の形態をとる。装飾は、タトゥーを配置したい箇所にシートを適用することによって皮膚または爪に転写され（装飾を担持するシートの面を皮膚または爪に接触させ）るが、シートの外側面は、装飾をその支持体から剥離して転写するために加湿される。
【０００４】
皮膚または爪に貼るための「ステッカー」タイプの装飾も見られる。こうした装飾は、例えば、爪の形状及びサイズに適合するように切りとらねばならない所定の輪郭を有する自己接着性の画像の形態である。こうしたステッカーで得られる結果は、例えば、装飾しようとする表面全体をカバーしないなど、不正確であり、常に審美的であるとは限らない。
さらにまた、上述のデバイスは、除去が困難であるという欠点を有する。
【０００５】
仏国特許出願公開第2999063号明細書は、人の皮膚または爪を装飾するための物品を記載しており、これは、人の皮膚または少なくとも１つの爪に適用しようとする装飾体を含み、前記装飾体は少なくとも部分的に人の皮膚または爪に転写される装飾を含み、前記装飾は少なくとも１つの装飾層を含み、第１の外部表面及び第２の外部表面及び前記装飾の支持フィルムを有し、前記支持フィルムは前記装飾層の第１の外部表面に着脱可能に固定されている。この物品はまた、アプリケータによって皮膚に適用することができる流体生成物を含み、前記流体生成物は、乾燥中に粘着性になる特性を有する。
【０００６】
こうした物品では、正確な結果を得ることが可能でないばかりか、接触時に装飾を部分的に溶解させることによって装飾を損傷させることさえありうる。
【０００７】
さらに、独国特許出願公開第3337458号明細書には、皮膚または爪を装飾するための物品が記載されており、その適用には、例えば、放射線源または熱源、または感圧性接着剤を要する。この文献によれば、この感圧性接着剤は、装飾層の適用の前に爪に塗布してよい。
【先行技術文献】
【特許文献】
【０００８】
【特許文献１】仏国特許出願公開第2999063号明細書
【特許文献２】独国特許出願公開第3337458号明細書
【発明の概要】
【発明が解決しようとする課題】
【０００９】
本発明は、人の皮膚、唇、または爪を装飾するための物品であって、形状に制限なく正確な装飾結果を得ることを可能にし、簡便に使用される物品を提供することを課題とする。
【課題を解決するための手段】
【００１０】
この目的のために、本発明は、少なくとも１つの感圧性接着性ポリマー及び少なくとも１つの溶媒を含む固着剤を用いて人の皮膚、唇、または少なくとも１つの爪に転写させようとする少なくとも１つの装飾体を含む、人の皮膚、唇、または爪を装飾するための物品であって、
・人の皮膚、唇、または爪に少なくとも部分的に転写させようとする装飾層であって、前記装飾層が、前記少なくとも１つの装飾体を含み、前記装飾層が、第１の外部表面及び第２の外部表面を有する、装飾層、
・前記装飾層の支持フィルムであって、前記支持フィルムが、着脱可能に前記装飾層の第１の外部表面に固定されている、支持フィルム、
・少なくとも１つの感圧性接着性ポリマーの移行を制限もしくはさらに防止するためのバリアを形成するベース層であって、前記少なくとも１つの溶媒に対して耐性である、ベース層、
を含む物品を提供する。
【００１１】
しかるに、有利には、本発明による物品は、固着剤を用いて転写される装飾層を有する。有利には、この物品は、ベース層を、固着剤の感圧性接着性ポリマーの移行を制限またはさらには防止するために、装飾層と固着剤との間に備え、装飾層は固着剤の溶媒に対して耐性である。したがって、装飾層と皮膚、唇または爪との間に使用される感圧性接着性ポリマーの接着性は、こうしたポリマーの移行によって変化することがない。
ベース層は、溶媒が装飾層を損傷することも防止できる。
【００１２】
好ましい実施態様によれば、本発明による物品は、単独または組み合わせとして、１つ以上の以下の特徴：
・物品は、装飾層と支持フィルムとの間に分離層を含み、前記分離層は、装飾層が前記固着剤によって人の皮膚、唇、または少なくとも１つの爪に転写された際に、装飾層と支持フィルムとの分離を可能にすることを意図しており；
・ベース層は、少なくともSiO2とアクリル樹脂、特にアクリレート共重合体を含み；
・装飾層は、幾つかの重畳サブレイヤーを含み；
・装飾層は、少なくとも１つの金属層、特にアルミニウムの層を含み、前記金属層は、例えば、化学蒸着によって付着し；
・装飾層は、アクリレートコポリマー及び着色顔料及び／またはパール剤粉末の少なくとも１つの層、及び／または金属効果を有する装飾層を含み；
・支持フィルムは湾曲しており、特に、装飾層の転写を意図する領域の曲率半径とは異なる曲率半径を有し；
・支持フィルムは平坦であり；
・支持フィルムは透明、半透明、または不透明であり、特にPETであり；
・装飾体は、二次元または三次元のパターン、または三次元を模した効果、または布を模した効果、粒子効果、金属、あるいは光源に対する方向によって錯視を提供する装飾のうち少なくとも１つを含み；
・装飾層の一部のみが、人の皮膚、唇、または少なくとも１つの爪の、固着剤が予め適用された箇所への転写を意図されており；且つ
・ベース層の厚さは20μm未満、好ましくは15μm未満である。
【００１３】
別の態様によれば、本発明は、上記の物品の装飾層を全ての組合せにおいて人の皮膚、唇、または爪に転写するための、少なくとも１つの感圧性接着性ポリマー及び少なくとも１つの溶媒を含む、固着剤に関する。
【００１４】
好ましくは、固着剤は、以下の製品：
・シリコーン接着剤、DOW CORNING（登録商標）MG-2402；及び／または
・シリコーン接着剤、DOW CORNING（登録商標）BIO-PSA 7-4602
のうちの少なくとも１つを含む。
【００１５】
固着剤は、質量％で、
・40から70％のシリコーン接着剤、DOW CORNING（登録商標）MG-2402； 
・1から15％のシリコーン接着剤、DOW CORNING（登録商標）BIO-PSA 7-4602；及び
・100％までの残量の溶媒
を含んでよい。
【００１６】
あるいは、固着剤は、質量％で、
・50から60％のシリコーン接着剤、DOW CORNING（登録商標）MG-2402； 
・4から9％のシリコーン接着剤、DOW CORNING（登録商標）BIO-PSA 7-4602；及び
・100％までの残量の溶媒
を含む。
【００１７】
別の代替案によれば、固着剤は、質量％で、
・54.5％のシリコーン接着剤、DOW CORNING（登録商標）MG-2402； 
・9％のシリコーン接着剤、DOW CORNING（登録商標）BIO-PSA 7-4602；及び
・36.4％の溶媒
を含む。
【００１８】
固着剤は、質量％で、
・52％のシリコーン接着剤、DOW CORNING（登録商標）MG-2402； 
・8％のシリコーン接着剤、DOW CORNING（登録商標）BIO-PSA 7-4602；及び
・40％の溶媒
を含んでよい。
【００１９】
別の代替案によれば、固着剤は、質量％で、
・54％のシリコーン接着剤、DOW CORNING（登録商標）MG-2402； 
・7％のシリコーン接着剤、DOW CORNING（登録商標）BIO-PSA 7-4602；及び
・39％の溶媒
を含む。
【００２０】
あるいは、固着剤は、質量％で、
・60％のシリコーン接着剤、DOW CORNING（登録商標）MG-2402； 
・4％のシリコーン接着剤、DOW CORNING（登録商標）BIO-PSA 7-4602；及び
・36％の溶媒
を含む。
【００２１】
溶媒は、XIAMETER（登録商標）PMX-200 SILICONE FLUID 0.65 CS を含むか、好ましくはこれに該当する。
【００２２】
別の態様によれば、本発明の目的は、人の皮膚、唇、または爪を装飾するための、上述の全ての組合せにおける少なくとも１つの物品と、上述の全ての組合せにおける固着剤を含む少なくとも１つの容器とを含むキットである。
【００２３】
装飾キットはまた、固着剤塗布部材、例えばブラシを含んでよく、この塗布部材は、好ましくは、固着剤を収容する容器の開口部を閉じて前記容器を封鎖するために適切である。
【００２４】
装飾キットはまた、人の皮膚、唇または爪の上に、前記少なくとも１つの物品を、平滑化させること（smoothing）のできるアプリケータ、例えば植毛シリコーンのアプリケータを含んでよい。
【００２５】
別の態様によれば、本発明は、上述の全ての組合せにおける物品による、人の爪、皮膚、または唇を装飾するか、あるいは上述の全ての組み合わせにおける装飾キットの一部を形成する方法であって、
i) 装飾しようとする部分上に、上述の全ての組み合わせにおける固着剤の層を適用するか、または前記装飾キットの一部を形成することからなる工程；
ii) 固着剤の溶媒を蒸発させることからなる工程；
iii) 物品を装飾しようとする部分に付着させることからなる工程；
iv) 物品に圧力をかけることからなる工程；及び
v) 支持フィルムを物品から除去することからなる工程
を含む方法に関する。
【００２６】
工程i)においては、25μm以上、好ましくは30μm以上、及び／または75μm未満、好ましくは５０μｍ未満の厚さを有する固着剤の層を適用してよい。
工程i)は、塗布部材によって実施してもよく、塗布部材は好ましくはブラシである。
【００２７】
工程iv)においては、物品は、好ましくは植毛シリコーンのアプリケータ（１６）で、且つ／または、装飾層が支持フィルムから分離されるまで、平滑化される。
工程v）においては、装飾層の一部のみが転写され、固着剤の層は、工程i)において予め適用されている。
【００２８】
本発明の別の特性及び利点は、図面に関する以下の詳細な説明を読むにつれて明らかとなろう。
【図面の簡単な説明】
【００２９】
【図１】図１は、人の爪、唇、または皮膚を装飾するための物品の概略遠近図である。
【図２】図２は、図１の細部IIの拡大図である。
【図３】図３は、図１及び図２の物品のための固着剤の、人の爪への適用を図示する。
【図４】図４は、図１及び図２の物品の、人の爪への適用を図示する。
【図５】図５は、図４の、人の爪への適用の結果を図示する。
【図６】図６は、図４の適用後の図１及び図２の物品を図示する。
【図７】図７は、図１及び図２の物品のための固着剤の、人の瞼への適用を図示する。
【図８】図８は、図１及び図２の物品の、人の瞼への適用を図示する。
【図９】図９は、図１及び図２の物品の、人の瞼への適用の結果を表す。
【図１０】図１０は、図８の適用後の図１及び２の物品を図示する。
【図１１】図１１は、図１及び２の物品のための固着剤の、人の肩の皮膚への適用を概略的に表す。
【図１２】図１２は、図１及び図２の物品の、人の肩の皮膚への適用を図示する。
【図１３】図１３は、図１及び図２の物品の、人の肩の皮膚への適用の結果を表す。
【図１４】図１４は、図１２の適用後の図１及び図２の物品を表す。
【発明を実施するための形態】
【００３０】
以下の説明において、「下部」、「上部」、「上」、「下」などの用語は、図面に関してさらなる明確性のために使用される。これらは、本発明の範囲を制限するものと理解されるべきではない。
【００３１】
図１は、人の爪、唇、瞼、またはより一般的には皮膚を装飾するための例示的な物品１を示す。図示された例では、物品１は、可撓性シートの形態で示され、ここでは実質的に長方形である。
【００３２】
例として、シートは、少なくとも10cm、さらには少なくとも1cm、実際のところ少なくとも0.1cmでさえある短辺を有する。好ましくは、最小の辺は、0.1cmから30cmの間、さらには0.1cmから5cmの間、実際のところ0.1cmから1cmの間でさえある。好ましくは、このシートは、少なくとも0.5cm2、さらには少なくとも1cm2、実際のところ少なくとも10cm2の表面積を有する。好ましくは、このシートは、0.5cm2から100cm2の間、さらには10cm2から100cm2の間でさえある表面積を有する。
【００３３】
より一般的には、物品は、次々に転写される物品の個別の部分に対応する、数回の使用を可能にする寸法であってよい。例えば、同一の物品が、それぞれの爪に物品の個別の部分を転写することによって１本以上の爪、特に２本、５本または１０本の爪の装飾を可能にする寸法を有して良い。
むろん、前記シートは、別の寸法及び／または異なる形状を有してよい。
【００３４】
特に、物品１は、一方の平面寸法である長さが他方の平面寸法である幅よりも著しく長いストリップの形態で存在してもよい。特に、ストリップの長さは、ストリップの幅の少なくとも５倍、好ましくは少なくとも１０倍、さらに好ましくは少なくとも２０倍であってよい。繰り返すが、ストリップは、有利には、１本以上の爪、とりわけ少なくとも２本の爪、特に好ましくは５本または１０本の爪を装飾しうるものであってよい。
【００３５】
以下の記載は、特に、少なくとも１つの感圧性接着性ポリマー及び少なくとも１つの溶媒を含む固着剤を用い、少なくとも１つの装飾体２を物品１から爪９に転写することによる、人の爪９を装飾するための物品１の応用に関する。しかしながら、特記のない限り、記載の事項は、物品１の人の唇、瞼、またはより一般的には皮膚への適用にも応用される。
【００３６】
装飾体２は、当業者に入手可能な任意の形態をとってよい。特に、これは、色、一様の色であるかないか、一色以上のグラデーション、一種もしくは数種のパターンであってよく、物品１上に規則的に繰り返されても繰り返されなくともよい。装飾体２は、三次元パターンの模倣、金属効果、パターン、特に錯視であって、その外観がこのパターン上の光の入射角度に応じて変化するものであってよい。装飾体２は、グリッター、布を模したパターン、または粒子効果であってよい。装飾体２はまた、官能効果、例えば、ベルベットの感触または起毛効果が得られるようにするものであってもよい。前記パターンは、特に、文字、略語、風景、モニュメント、幾何学的形状、またはブランドロゴであってもよい。装飾体２は、上記の装飾体の組み合わせであってよい。この特定の場合には、装飾体２は、複合装飾とみなして良い。
【００３７】
図示された例では、装飾体２は、特に、規則的に繰り返される螺旋の形態の幾何学的パターンを含む。
【００３８】
図２に示された例によれば、物品１は、互いに重畳した４つの層３、４、５、６を含む。
【００３９】
これらの層３から６のうち第１の層は、装飾層３である。これは、装飾体２を用いて人の爪を装飾するために、少なくとも部分的に人の爪に転写される層である。この装飾層３は、装飾しようとする爪とは反対方向に向けることを意図した、外側表面と呼称される第１の表面３１と、装飾しようとする爪の方向に向けることを意図した、内側表面と呼ばれる第２の表面３２とを有する。
【００４０】
図示された例では、装飾層３は、３つの重畳サブレイヤー３ａ、３ｂ、３ｃを含む。例えば、装飾しようとする爪に最も近く、ここで内部表面３２を形成する下側サブレイヤー３ａは、金属製サブレイヤーである。この下側サブレイヤー３ａは、アルミニウムの層であってもよい。アルミニウムサブレイヤー３ａは、化学蒸着（CVD）によって付着させたものであってよい。中間サブレイヤー３ｂは、例えば、一様の色のサブレイヤーである。最後に、装飾しようとする爪に最も遠く、ここで外部表面３１を形成する上側サブレイヤーは、下側サブレイヤーにとっての保護サブレイヤーであってよい。この目的のためには、この保護サブレイヤー３ｃは、例えば、樹脂、ラッカー、またはプラスチック材料のサブレイヤーである。パターン２は、保護サブレイヤー３ｃに埋め込まれていても、この保護サブレイヤー３ｃによって覆われていてもよい。後者の場合、パターン２は、一様の色のサブレイヤー３ｂ上に描かれてもよい。保護サブレイヤー３ｃは、有利には、半透明または透明である。この保護サブレイヤー３ｃは、本質的に、他のサブレイヤーとの直接接触を防止することを目的としており、これは、他のサブレイヤーを損傷させ、その描写が美観に劣るものとなる可能性があるためである。
【００４１】
むろん、装飾層３のサブレイヤーの数は３に限定されない。実際のところ、当業者は、この層の数を、所望の装飾、特にその複雑さ及び／または装飾を製造するために実施される技術に適合させることを理解している。したがって、装飾層３は、特に、アクリレートコポリマー及び着色顔料の少なくとも１つのサブレイヤー、及び／またはパール剤粉末の少なくとも１つのサブレイヤー、及び／または金属効果を有する少なくとも１つの装飾サブレイヤーを含んでよい。
【００４２】
装飾層３は、剛性であってよい。しかしながら、好ましくは、装飾層３は、曲面または可撓性表面、例えば、人の爪または皮膚で覆われた身体部分、例えば、瞼、肩、腕、または唇への適用のために十分に可撓性である。
【００４３】
図２において、装飾しようとする爪とは反対方向に向けることを意図した上部層４は、装飾層３を支持する支持フィルム４で形成されている。この上部層４は、本質的に、装飾層３が人の爪に少なくとも部分的に転写される前に、この装飾層３を保護する機能を有する。支持フィルム４はまた、物品１に所定の剛性を提供してもよく、装飾層３の人の爪上への転写前、及び装飾層３の人の爪上への転写の間の、その取り扱いを容易にする。また、この支持フィルム４は、湾曲していてもよく、特に、装飾層３を転写しようとする爪の曲率半径とは異なる曲率半径を有してよい。以下に記載の通り、このことにより、人の爪への装飾層３の転写が容易である。また、支持フィルム４は平坦であってもよく、すなわち、このフィルムが平面内に延びていてもよい。
【００４４】
例として、支持フィルム４は、透明、半透明、またはさらには不透明なフィルムであってさえもよい。有利には、透明または半透明のフィルムでは、これが爪上に転写される前に、使用者が装飾層３及びその含む装飾体２を見ることができる。したがって、支持フィルム４は、例えば、ポリエチレンテレフタレートを意味するPETである。
支持フィルム４は、例えば、10μmから20μmまでの厚さを有してよい。
【００４５】
透明、半透明、不透明であるかによらず、支持フィルム４は、装飾層を転写するための指示等の表示を担持していてよい。これらの指示は、文字による表示に加えて、図を含んでも良い。あるいは、またはこれに加えて、支持フィルム４は、除去に関する表示、すなわち、好ましくは、人の爪に転写された装飾層３を除去するために使用される工程及び／または生成物に関する表示を含んでよい。
【００４６】
フィルムが不透明である場合、特に、支持フィルム４は、装飾層の装飾体２の残部を担持してもよい。例えば、支持フィルム４上には、パターンの残部が描かれ、且つ／または色が表示され、且つ／または装飾層３に存在する審美効果、例えば金属被覆が認められる。
【００４７】
支持フィルム４と装飾層３との間に、物品１は分離層５を含む。この分離層５は、固着剤によって、装飾層３が人の爪に転写された際、支持フィルムからの装飾層３の分離を可能にすることを意図している。これを実施するため、分離層５は支持フィルム４上に、装飾層３上に、または部分的に支持フィルム４上及び装飾層３上に、固定されたままであってよい。好ましくは、分離層５は、装飾層のより良い描写のために、実質的に支持フィルムに固定されたままである。このためには、分離層５は、有利には、固着剤よりも低い接着性（または粘着性）を有する。
【００４８】
最後に、物品２は、固着剤の感圧性接着性ポリマーの移行を制限またはさらに防止さえするための、バリアの形成を意図したベース層６を含む。ベース層６は、有利には、固着剤に使用される溶媒に耐性であることから、溶媒との接触に際しても崩壊しない。したがって、ベース層６は、この固着剤の溶媒と接触していてさえも、固着剤の感圧性接着性ポリマーの移行に対するバリアとして有効であり続ける。これを達成するため、このベース層６は、例えば、少なくともSiO2及びアクリル樹脂、特にアクリレートコポリマーを含む。
ベース層６は、特に、20μm未満、さらには15μm未満の厚さを有してよい。
【００４９】
装飾層の転写及び人の爪との接触を意図したベース層の識別を容易にするために、このベース層は着色されていてもよく、且つ／または文字を含んでいてもよい。
【００５０】
有利には、物品２は、装飾層３とは反対方向に向けたベース層６の表面に、接着剤の層を持たない。
物品２は、特に爪への適用のためには、0.01mmから0.3mmの間、好ましくは0.03mmから0.2mmの間の厚さを有してよい。皮膚への適用のためには、特に、物品２の厚さは、0.015mmから0.2mmの間であってよい。
【００５１】
図３から図６は、人の爪９への物品１の装飾層３の一部の転写を例示する。
【００５２】
図３に示されているように、転写は、固着剤７を人の爪９上に塗布することから開始される。固着剤７は、ブラシ１２を用いて塗布してもよい。さらにこの図３によれば、ブラシ１２の把持部１１は、固着剤を収容するボトル１０の封鎖に好適であってよい。例えば、この把持部は、ボトル１０の首部に設けられた雄ネジと協働可能な雌ネジを含む。固着剤はまた、塗布部材、特に植毛塗布部材、または液体固着剤の爪はの塗布に適した任意の別のタイプの塗布部材、特にシリコーン製のヘラまたは可撓性プラスチック製のヘラを用いて塗布してよい。
【００５３】
固着剤７の塗布は、有利には、従来の方法で、例えばマニキュアを使用する場合のように行われる。
ここで、注目すべき方式では、固着剤７は、少なくとも１つの感圧性接着剤ポリマー１４及び少なくとも１つの溶媒１５を含む。
【００５４】
例えば、固着剤は、例えば、以下の製品： 
・シリコーン接着剤、DOW CORNING（登録商標）MG-2402；及び／または
・シリコーン接着剤、DOW CORNING（登録商標）BIO-PSA 7-4602
のうちの少なくとも１つを含んで良い。
シリコーン接着剤、DOW CORNING（登録商標）MG-2402は、質量％で30%（境界値を含む）から50%（境界値を含まない）の酢酸エチルを含む。これは無色または淡黄色の製品である。これは1.02の密度を有する。この製品の動粘度は4000mPa・sである。この製品の25℃における粘度は約2500cPである。本製品の剥離粘着力は約700g/cmである。
【００５５】
シリコーン接着剤製品、DOW CORNING（登録商標）BIO-PSA 7-4602は、質量％で25％（境界値を含む）から55％（境界値を含む）の酢酸エチルを含む。この製品は、キシレン及びエチルベンゼンをさらに含む。これは無色または淡黄色の製品である。これは、1.02の密度を有する。この製品の動粘度は3,000mPa・sである。
【００５６】
使用される溶媒は、XIAMETER(登録商標) PMX-200 SILICONE FLUID 0.65 CS を含むか、またはこれに該当してよい。この製品は無色である。これは、100質量%のヘキサメチルジシロキサンを含む。これは0.76の密度を有する。この製品の動粘度は、25℃で0.65mm2/sに相当する。
【００５７】
固着剤７中の溶媒１５の総量は、感圧性接着性ポリマー１４を爪９の表面全体に塗り広げることができるように、比較的多めに選択してよい。しかしながら、溶媒１５が過剰であると、感圧性接着性ポリマー１４の量が減少し、ひいては固着剤７の接着性または粘着性が制限される。
【００５８】
有利には、固着剤７は、その粘着性及び乾燥速度、すなわち、その含む溶媒１５の蒸発速度に応じて選択される。固着剤７は、その粘着性が高いほど有効である。しかしながら、固着剤７は、十分に長い乾燥時間を有して、爪への塗布を容易にするものでなければならない。また、固着剤の乾燥時間は、可能であれば爪への塗布と装飾層３の転写との間に待機する必要性を伴わずに、装飾層３が爪に付着しうるように制限されねばならない。実際のところ、固着剤７は乾燥しない限り十分な接着性を示さず、感圧性ポリマー性材料１４は溶媒１５中に「埋め込まれて」いる。しかしながら、溶媒の蒸発が過度に急速であると、感圧性接着性ポリマー１４は爪の表面全体に満足に広がることができない。したがって、好ましい方式では、固着７の乾燥時間は、温度25℃及び圧力1バールにて0.1秒以上、好ましくは0.5秒以上、さらに好ましくは1秒以上、及び／または5秒以下、好ましくは3秒以下、さらにより好ましくは2秒以下である。
【００５９】
好ましくは、固着剤７の薄く均一な層が爪９に適用される。したがって、好ましくは消費者に装飾を適用するための乾燥時間を強いることなく、装飾層を、固着剤７の層の適用後非常に迅速に、転写することが可能である。固着剤７の層の均一性は、爪への装飾層の均一な転写にも寄与する。
【００６０】
例えば、この薄層は、25μm以上、好ましくは30μm以上、及び／または75μm以下、好ましくは50μm以下の厚さを有する。固着剤７の層の厚さにより、固着剤７の乾燥及び溶媒１５の蒸発が促進される。特に使用者による物品１の爪９への適用が早過ぎ、ひいては溶媒１５の蒸発を妨げる危険性を制限するために、溶媒１５は速やかに蒸発することが望ましい。こうした状況では、固着剤７は、その最適な固着効果を持たず、このため装飾層３の爪９への接着を制限するか、あるいは妨害しさえする。
【００６１】
溶媒１５が蒸発した後、物品１は爪９に付着しており、その後物品１の表面には圧力が加えられて装飾層３が物品１から爪９に転写される。好ましくは、物品にかけられた圧力は、爪９の実質的な表面全体に及ぶ。これを行うために、専用の器具が用いられてもよい。図４に示された例では、アプリケータ１６が使用される。アプリケータ１６は、例えば、シリコーンのアプリケータまたはプラスチックのアプリケータであり、好ましくは可撓性プラスチックのものである。アプリケータ、特にプラスチックまたはシリコーンのものは、植毛されていてよい。シリコーンアプリケータ１６は、比較的剛性があるが物品との接触面は比較的柔らかであり、物品及び特に装飾層３を損傷する危険性がない。アプリケータ１６により、物品１を爪９の表面上に平滑化させることができ、ひいては装飾層３を、好ましくは予め固着剤７で覆われていた領域のみに、接着させることができる。アプリケータ１６を用いて平滑化させることにより、爪９と装飾層３との間に捕捉されていたあらゆる気泡を逃がすこともできる。
【００６２】
注目すべきは、支持フィルム４が、物品１が付着した爪の曲率と異なる曲率を有する場合には、平滑化操作により、装飾層３の爪９への付着と、この同じ装飾層３の支持フィルム４からの剥離とが同時に引き起こされる。そのため、図５に示されるように、爪９の全てが装飾層３によって覆われたことを容易に認識することができる。実際のところ、この場合は、支持層４は、爪９に転写されると、装飾層３から、弾性力によって自然に剥離する。
あるいは、装飾層３が転写されたところで、使用者が爪９の上から物品１を除去する。
【００６３】
いずれの場合も、図６に示すように、爪９の形状に相当する装飾層３の部分１７、すなわち固着剤が塗布された領域のみが、物品１の支持フィルム４から除去される。かくして、装飾層３は、物品１の一部のみから転写される。したがって、同じ物品１が、有利には、装飾層３から異なる部分を転写することによって、複数の爪を装飾するために使用できる。
【００６４】
所定の場合、特に、装飾層３が爪９の表面に均一に転写されなかった場合には、何らかの修正が必要となりうる。この場合、装飾層３が満足に転写されなかった領域への固着剤の新たな塗布の有無によらず、物品１を適用する工程は反復してもよい。むろん、こうした修正は、修飾部材が１つ以上のパターンを有する場合には回避すべきである。
【００６５】
また、同じ物品または異なる物品の、複数の装飾層を積み重ねて、最終的により複雑な爪の装飾を得ることも可能である。
【００６６】
本発明者らは、多数の固着剤７組成剤を試験した。最良の結果は、下記：
・40から70質量％、好ましくは50から60質量％のシリコーン接着剤、DOW CORNING（登録商標）MG-2402； 
・1から15％のシリコーン接着剤、DOW CORNING（登録商標）BIO-PSA 7-4602；及び
・100質量％までの残量の溶媒、特にXIAMETER（登録商標）PMX-200 SILICONE FLUID 0.65 CS
を含む固着剤７を使用して得られた。
【００６７】
下記の表は、本発明者らによって試験された、固着剤７の組成物試料の数例を示す。
【００６８】
【表１】
2021506389.tif 000003
2021506389.tif 000004
【００６９】
装飾層３の爪への最良の転写は、シリコーン接着剤、DOW CORNING（登録商標）MG-2402とシリコーン接着剤、DOW CORNING（登録商標）BIO-PSA 7-4602との混合物を含む組成物を用いて得られる。特に、これらの混合物が、シリコーン接着剤、DOW CORNING（登録商標）MG-2402の量の、シリコーン接着剤、DOW CORNING（登録商標）BIO-PSA 7-4602の量に対する質量比が、0.3以上、好ましくは1以上、特に2.5から3.5の間である場合に、固着剤は特に高い粘着性を有し、所望の応用に非常に好適である。
【００７０】
皮膚、唇、または少なくとも１つの爪９に転写された物品１の装飾層３の部分を除去することからなる除去工程は、有利には、従来のリムーバーを使用して行ってよい。特に、爪においては、マニキュアを除去する場合のように、従来の溶解剤を使用してよい。
図７から図１０には、上述のような物品１の、人の瞼１８への適用が例示される。
この塗布は、上述の爪への塗布とほぼ同一の方式で行われる。
【００７１】
まず、使用者は、固着剤７を瞼１８に塗布する。固着剤７の溶媒を蒸発させると、物品１は瞼１８に付着する。最後に、例えばアプリケータ１６を使用して平滑化させることによって、物品１に圧力をかける。その後、物品１は除去されるが、そのうち装飾層３の一部は瞼１８に付着したままとなる。かくして、瞼１８の印象１７を有する物品１が得られる。あるいは、物品１は、特に支持フィルムが瞼の曲率とは異なる曲率を有する場合には、物品１に圧力を加えることによって簡便に除去される。
【００７２】
上記のように、装飾層３は、瞼１８を装飾するために使用しうる。この場合、装飾層３は、有利には、アイシャドウに取って代わることができる。代替的に、またはこれに加えて、装飾層３は遮蔽効果を有してよく、例えば瞼の皮膚または目の周りの皮膚の欠点を隠すことを可能にする。この場合は、特に、装飾層３は、自然な効果を有してよく、すなわち、メイクアップなしの瞼１８の自然な色を模倣したものであってよい。
【００７３】
図１１から図１４は、上述の物品１の、人の肩１９への適用を図示する。
この応用は、実質的に前述の爪及び瞼への適用と同様の方式で実施される。
【００７４】
まず、使用者は、固着剤７を肩の皮膚１９に塗布する。ここで、例として、この固着剤７は、パターンで適用され、この特定の場合には「D」字型に塗布される。むろん、固着剤塗布パターンのこうした形状は、なんら制限的なものでない。この形状は、使用者にとって利用可能な物品１の使用の多数の実施態様の一例を例示するに過ぎない。
【００７５】
固定剤７の溶媒を蒸発させた後、物品１を肩の皮膚１９に付着させる。最後に、物品１に、例えばアプリケータ１６を使用して平滑化させることによって、圧力を加える。その後、物品１は除去され、そのうち装飾層３の一部が、固定剤７の塗布パターンにて肩の皮膚１９に付着したままとなる。かくして、肩１９に転写された装飾層の一部の印象１７を有する物品１が得られる。あるいは、特に支持フィルムが肩１９の曲率とは異なる曲率を有する場合には、単に物品１に圧力を加えることによって、物品１が除去される。
【００７６】
上記のように、装飾層３を、肩１９の修飾のために使用することができる。この場合、装飾層は、有利には、永久的または一時的なタトゥー、例えばヘナに取って代わることができる。代替的に、またはそれに加えて、装飾層３は皮膚遮蔽効果を有してもよく、皮膚の欠点またはタトゥーを隠すことを可能にする。この場合、装飾層３は、肩の皮膚１９の自然な色を模したものであってよい。
【００７７】
本発明は上述の実施例に限定されるものではなく、それどころか、本発明は、当業者にとって利用可能な多数の変形に好適である。
【００７８】
提示された例では、物品１は、爪、瞼、または肩に適用される。しかしながら、物品は、人の身体の他の部分、一般的には人の皮膚に適用できることが理解される。  
【図１】
2021506389.tif 000005
【図２】
2021506389.tif 000006
【図３】
2021506389.tif 000007
【図４】
2021506389.tif 000008
【図５】
2021506389.tif 000009
【図６】
2021506389.tif 000010
【図７】
2021506389.tif 000011
【図８】
2021506389.tif 000012
【図９】
2021506389.tif 000013
【図１０】
2021506389.tif 000014
【図１１】
2021506389.tif 000015
【図１２】
2021506389.tif 000016
【図１３】
2021506389.tif 000017
【図１４】
2021506389.tif 000018
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
少なくとも１つの感圧性接着性ポリマー（１４）及び少なくとも１つの溶媒（１５）を含む固着剤（７）を用いて人の皮膚、唇、または少なくとも１つの爪（９）に転写させようとする少なくとも１つの装飾体（２）を含む、人の皮膚、唇、または爪を装飾するための物品（１）であって、
・人の皮膚、唇、または爪（９）に少なくとも部分的に転写させようとする装飾層（３）であって、前記装飾層（３）が、前記少なくとも１つの装飾体（２）を含み、前記装飾層（３）が、第１の外部表面（３１）及び第２の外部表面（３２）を有する、装飾層（３）、
・前記装飾層（３）の支持フィルム（４）であって、前記支持フィルム（４）が、着脱可能に前記装飾層（３）の第１の外部表面（３１）に固定されている、支持フィルム（４）、
・少なくとも１つの感圧性接着性ポリマー（１４）の移行を制限するためのバリアを形成するベース層（６）であって、前記少なくとも１つの溶媒（１５）に対して耐性である、ベース層（６）
を含む物品。
【請求項２】
装飾層（３）と支持フィルム（４）との間に分離層（５）を含み、前記分離層（５）が、前記装飾層（３）が前記固着剤（７）によって人の皮膚、唇または少なくとも１つの爪（９）に転写されたところで前記装飾層（３）と支持フィルム（４）との分離を可能にすることを意図している、請求項１に記載の物品。
【請求項３】
前記ベース層（６）が、少なくともSiO2及びアクリル樹脂を含む、請求項１または２に記載の物品。
【請求項４】
装飾層（３）が、幾つかの重畳サブレイヤー（３ａ、３ｂ、３ｃ）を含む、請求項１から３のいずれか一項に記載の物品。
【請求項５】
装飾層（３）が、少なくとも１つの金属層（３ｂ）を含む、請求項４に記載の物品。
【請求項６】
装飾層（３）が、アクリレートコポリマー、着色顔料、またはパール剤粉末、または金属効果を備えた装飾層の少なくとも１つの層を含む、請求項４または５に記載の物品。
【請求項７】
支持フィルム（４）が湾曲している、請求項１から６のいずれか一項に記載の物品。
【請求項８】
支持フィルム（４）が平坦である、請求項１から６のいずれか一項に記載の物品。
【請求項９】
支持フィルム（４）が、透明、半透明、または不透明である、請求項１から８のいずれか一項に記載の物品。
【請求項１０】
装飾体が、二次元または三次元のパターン、または三次元を模した効果、または布を模した効果、粒子効果、金属、あるいは光源に対する方向によって錯視を提供する装飾のうち少なくとも１つを含む、請求項１から９のいずれか一項に記載の物品。
【請求項１１】
装飾層の一部のみが、人の皮膚、唇、または少なくとも１つの爪（９）の、固着剤（７）が予め適用された箇所への転写を意図されている、請求項１から１０のいずれか一項に記載の物品。
【請求項１２】
前記ベース層（６）の厚さが20μm未満である、請求項１から１１のいずれか一項に記載の物品。
【請求項１３】
請求項１から１２のいずれか一項に規定の物品（１）の装飾層（３）を人の皮膚、唇または爪に転写するための、少なくとも１つの感圧性接着性ポリマー（１４）及び少なくとも１つの溶媒（１５）を含む固着剤（７）。
【請求項１４】
以下の製品：
・シリコーン接着剤、DOW CORNING（登録商標）MG-2402；及び
・シリコーン接着剤、DOW CORNING（登録商標）BIO-PSA 7-4602
のうちの少なくとも１つを含む、請求項１３に記載の固着剤。
【請求項１５】
質量％で、
・40から70％のシリコーン接着剤、DOW CORNING（登録商標）MG-2402； 
・1から15％のシリコーン接着剤、DOW CORNING（登録商標）BIO-PSA 7-4602；及び
・100％までの残量の溶媒
を含む、請求項１４に記載の固着剤。
【請求項１６】
質量％で、
・50から60％のシリコーン接着剤、DOW CORNING（登録商標）MG-2402； 
・4から9％のシリコーン接着剤、DOW CORNING（登録商標）BIO-PSA 7-4602；及び
・100％までの残量の溶媒
を含む、請求項１５に記載の固着剤。
【請求項１７】
質量％で、
・54.5％のシリコーン接着剤、DOW CORNING（登録商標）MG-2402； 
・9％のシリコーン接着剤、DOW CORNING（登録商標）BIO-PSA 7-4602；及び
・36.4％の溶媒
を含む、請求項１６に記載の固着剤。
【請求項１８】
質量％で、
・52％のシリコーン接着剤、DOW CORNING（登録商標）MG-2402； 
・8％のシリコーン接着剤、DOW CORNING（登録商標）BIO-PSA 7-4602；及び
・40％の溶媒
を含む、請求項１６に記載の固着剤。
【請求項１９】
質量％で、
・54％のシリコーン接着剤、DOW CORNING（登録商標）MG-2402； 
・7％のシリコーン接着剤、DOW CORNING（登録商標）BIO-PSA 7-4602；及び
・39％の溶媒
を含む、請求項１６に記載の固着剤。
【請求項２０】
質量％で、
・60％のシリコーン接着剤、DOW CORNING（登録商標）MG-2402； 
・4％のシリコーン接着剤、DOW CORNING（登録商標）BIO-PSA 7-4602；及び
・36％の溶媒
を含む、請求項１６に記載の固着剤。
【請求項２１】
溶媒が、XIAMETER（登録商標）PMX-200 SILICONE FLUID 0.65 CS を含む、請求項１３から２０のいずれか一項に記載の固着剤。
【請求項２２】
人の皮膚、唇、または爪を装飾するための、請求項１から１２のいずれか一項に規定の少なくとも１つの物品、及び請求項１３から２１のいずれか一項に規定の固着剤（７）を含む少なくとも１つの容器（１０）を含む、キット。
【請求項２３】
固着剤塗布部材、例えばブラシ（１２）をさらに含む、請求項２２に記載の装飾キット。
【請求項２４】
人の皮膚、唇または爪の上に、前記少なくとも１つの物品（１）を、平滑化させることのできるアプリケータ（１６）をさらに含む、請求項２２または２３に記載の装飾キット。
【請求項２５】
請求項１から１２のいずれか一項に規定の物品（１）による、人の爪、皮膚、または唇を装飾するか、あるいは請求項２２から２４のいずれか一項に記載の装飾キットの一部を形成する方法であって、
i) 装飾しようとする部分上に、請求項１３から２１のいずれか一項に規定の固着剤（７）の層を適用するか、または前記装飾キットの一部を形成することからなる工程；
ii) 固着剤（７）の溶媒（１５）を蒸発させることからなる工程；
iii) 物品（１）を装飾しようとする部分に付着させることからなる工程；
iv) 物品（１）に圧力をかけることからなる工程；及び
v) 支持フィルム（４）を物品（１）から除去することからなる工程
を含む方法。
【請求項２６】
工程i)において、25μm以上、及び／または75μm未満の厚さを有する固着剤（７）の層が適用される、請求項２５に記載の方法。
【請求項２７】
工程i)が、塗布部材によって実施される、請求項２５または２６に記載の方法。
【請求項２８】
工程iv)において、前記物品が、平滑化される、請求項２５から２７のいずれか一項に記載の方法。
【請求項２９】
工程v)において、装飾層（３）の一部のみが転写され、固着剤の層が工程i)において予め適用されている、請求項２５から２８のいずれか一項に記載の方法。
【国際調査報告】
2021506389.tif 000019
2021506389.tif 000020
2021506389.tif 000021
2021506389.tif 000022